(57)【特許請求の範囲】
【請求項１】
基礎と地面と床とで囲まれた床下空気を蓄える床下空間と、その上方の床上空間とを具え、
前記床上空間は、複数の居室に区分され、この複数の居室を前記床下空気を用いて換気しながら空調するための建築物の換気空調方法であって、
現在が、予め定められた第１期間に含まれる場合に、
前記各居室の温度を検出するステップと、
外気の温度を検出するステップと、
前記床下空気の温度を検出するステップと、
前記各居室の温度が、空気調和機による暖房運転が必要とされる温度よりも高く、かつ、前記外気の温度が、予め定められた温度以上であり、しかも、前記床下空気の温度が、予め定められた温度以上であると判断された場合に、前記床下空気を前記各居室に供給する第１供給ステップとを含むパッシブ暖房モードを実行し、
前記第１供給ステップは、各居室の温度と予め定められた目標温度との差に基づいて、各居室への前記床下空気の供給量を個別に調節することを特徴とする建築物の換気空調方法。
【請求項２】
前記第１供給ステップは、前記居室の温度から前記目標温度を差し引いた値が小さい居室ほど、より多くの前記床下空気を供給する請求項１記載の建築物の換気空調方法。
【請求項３】
基礎と地面と床とで囲まれた床下空気を蓄える床下空間と、その上方の床上空間とを具え、
前記床上空間は、複数の居室に区分され、この複数の居室を前記床下空気を用いて換気しながら空調するための建築物の換気空調方法であって、
現在が、予め定められた第２期間に含まれる場合に、
前記各居室の温度を検出するステップと、
外気の温度を検出するステップと、
前記床下空気の温度を検出するステップと、
前記各居室の温度が、空気調和機による冷房運転が必要とされる温度よりも低く、かつ、前記外気の温度が、予め定められた温度未満であり、しかも、前記床下空気の温度が、予め定められた温度未満であると判断された場合に、前記床下空気を前記各居室に供給する第２供給ステップとを含むパッシブ冷房モードを実行し、
前記第２供給ステップは、各居室の温度と予め定められた目標温度との差に基づいて、各居室への前記床下空気の供給量を個別に調節することを特徴とする建築物の換気空調方法。
【請求項４】
前記第２供給ステップは、前記居室の温度から前記目標温度を差し引いた値が大きい居室ほど、より多くの前記床下空気を供給する請求項３記載の建築物の換気空調方法。
【請求項５】
基礎と地面と床とで囲まれた床下空気を蓄える床下空間と、その上方の床上空間とを具え、
前記床上空間は、複数の居室に区分され、この複数の居室を前記床下空気を用いて換気しながら空調するための建築物の換気空調方法であって、
前記方法は、
現在が予め定められた第１期間に含まれる場合に実行されるパッシブ暖房モードと、現在が予め定められた第２期間に含まれる場合に実行されるパッシブ冷房モードとを含み、
前記パッシブ暖房モードは、
前記各居室の温度を検出するステップと、
外気の温度を検出するステップと、
前記床下空気の温度を検出するステップと、
前記各居室の温度が、空気調和機による暖房運転が必要とされる温度よりも高く、かつ、前記外気の温度が、予め定められた温度以上であり、しかも、前記床下空気の温度が、予め定められた温度以上であると判断された場合に、前記床下空気を前記各居室に供給する第１供給ステップとを含み、
前記パッシブ冷房モードは、
前記各居室の温度を検出するステップと、
外気の温度を検出するステップと、
前記床下空気の温度を検出するステップと、
前記各居室の温度が、前記空気調和機による冷房運転が必要とされる温度よりも低く、かつ、前記外気の温度が、予め定められた温度未満であり、しかも、前記床下空気の温度が、予め定められた温度未満であると判断された場合に、前記床下空気を前記各居室に供給する第２供給ステップとを含むことを特徴とする建築物の換気空調方法。
【請求項６】
前記パッシブ暖房モードでの前記床下空気の総供給量は、前記パッシブ冷房モードでの前記床下空気の総供給量よりも小さい請求項５記載の建築物の換気空調方法。
【請求項７】
基礎と地面と床とで囲まれた床下空気を蓄える床下空間と、その上方の床上空間とを具え、
前記床上空間は、複数の居室に区分され、この複数の居室を前記床下空気を用いて換気しながら空調するための建築物の換気空調システムであって、
前記各居室の温度を検出する手段と、
外気の温度を検出する手段と、
前記床下空気の温度を検出する手段と、
制御手段とを含み、
前記制御手段は、
現在が、予め定められた第１期間に含まれるとともに、前記各居室の温度が、空気調和機による暖房運転が必要とされる温度よりも高く、かつ、前記外気の温度が、予め定められた温度以上であり、しかも、前記床下空気の温度が、予め定められた温度以上であると判断した場合に、前記床下空気を前記各居室に供給する第１供給ステップを含むパッシブ暖房モードを実行するとともに、
前記第１供給ステップにおいて、前記各居室の温度と予め定められた目標温度との差に基づいて、前記各居室への前記床下空気の供給量を個別に調節することを特徴とする建築物の換気空調システム。
【請求項８】
基礎と地面と床とで囲まれた床下空気を蓄える床下空間と、その上方の床上空間とを具え、
前記床上空間は、複数の居室に区分され、この複数の居室を前記床下空気を用いて換気しながら空調するための建築物の換気空調システムであって、
前記各居室の温度を検出する手段と、
外気の温度を検出する手段と、
前記床下空気の温度を検出する手段と、
制御手段とを含み、
前記制御手段は、
現在が、予め定められた第２期間に含まれるとともに、前記各居室の温度が、空気調和機による冷房運転が必要とされる温度よりも低く、かつ、前記外気の温度が、予め定められた温度未満であり、しかも、前記床下空気の温度が、予め定められた温度未満であると判断した場合に、前記床下空気を前記各居室に供給する第２供給ステップを含むパッシブ冷房モードを実行するとともに、
前記第２供給ステップにおいて、前記各居室の温度と予め定められた目標温度との差に基づいて、前記各居室への前記床下空気の供給量を個別に調節することを特徴とする建築物の換気空調システム。
【請求項９】
基礎と地面と床とで囲まれた床下空気を蓄える床下空間と、その上方の床上空間とを具え、
前記床上空間は、複数の居室に区分され、この複数の居室を前記床下空気を用いて換気しながら空調するための建築物の換気空調システムであって、
前記各居室の温度を検出する手段と、
外気の温度を検出する手段と、
前記床下空気の温度を検出する手段と、
制御手段とを含み、
前記制御手段は、現在が予め定められた第１期間に含まれる場合にパッシブ暖房モードを実行するとともに、
現在が予め定められた第２期間に含まれる場合にパッシブ冷房モードを実行し、
前記パッシブ暖房モードは、前記各居室の温度が、空気調和機による暖房運転が必要とされる温度よりも高く、かつ、外気の温度が、予め定められた温度以上であり、しかも、前記床下空気の温度が、予め定められた温度以上であると判断した場合に、前記床下空気を前記各居室に供給する第１供給ステップを含み、
前記パッシブ冷房モードは、前記各居室の温度が、前記空気調和機による冷房運転が必要とされる温度よりも低く、かつ、外気の温度が、予め定められた温度未満であり、しかも、前記床下空気の温度が、予め定められた温度未満であると判断した場合に、前記床下空気を前記各居室に供給する第２供給ステップを含むことを特徴とする建築物の換気空調システム。
【発明の詳細な説明】
【技術分野】
【０００１】
本発明は、床下空気を利用して、各居室の換気と空調とを実現しうる建築物の換気空調方法に関する。
【背景技術】
【０００２】
建築物の床下空間には、床下空間の地面側と熱交換した床下空気が蓄えられている。一般に、床下空気の温度は、夏期では外気よりも低く、冬期では外気よりも高い。このような床下空気が、各居室に供給されることにより、各居室の換気と空調とが実現されうる。関連する技術としては、次のものがある。
【先行技術文献】
【特許文献】
【０００３】
【特許文献１】特開２０１４−１６７３６９号公報
【発明の概要】
【発明が解決しようとする課題】
【０００４】
例えば、日光の影響や、建物の構造上の相違等により、建築物の各居室の温度がそれぞれ異なる。しかしながら、従来の換気システムは、各居室の温度に基づいて、各居室への床下空気の供給量が個別に調節されていなかった。このため、各居室を効率よく空調することが難しいという問題があった。
【０００５】
本発明は、以上のような実状に鑑み案出されたもので、各居室の温度と予め定められた目標温度との差に基づいて、各居室への床下空気の供給量を個別に調節することを基本として、各居室を効率よく空調しうる建築物の換気空調方法に関する。
【課題を解決するための手段】
【０００６】
本発明は、基礎と地面と床とで囲まれた床下空気を蓄える床下空間と、その上方の床上空間とを具え、前記床上空間は、複数の居室に区分され、この複数の居室を前記床下空気を用いて換気しながら空調するための建築物の換気空調方法であって、現在が、予め定められた第１期間に含まれる場合に、前記各居室の温度を検出するステップと、外気の温度を検出するステップと、前記床下空気の温度を検出するステップと、前記各居室の温度が、空気調和機による暖房運転が必要とされる温度よりも高く、かつ、前記外気の温度が、予め定められた温度以上であり、しかも、前記床下空気の温度が、予め定められた温度以上であると判断された場合に、前記床下空気を前記各居室に供給する第１供給ステップとを含むパッシブ暖房モードを実行し、前記第１供給ステップは、各居室の温度と予め定められた目標温度との差に基づいて、各居室への前記床下空気の供給量を個別に調節することを特徴とする。
【０００７】
本発明に係る前記建築物の換気空調方法において、前記第１供給ステップは、前記居室の温度から前記目標温度を差し引いた値が小さい居室ほど、より多くの前記床下空気を供給するのが望ましい。
【０００８】
本発明は、基礎と地面と床とで囲まれた床下空気を蓄える床下空間と、その上方の床上空間とを具え、前記床上空間は、複数の居室に区分され、この複数の居室を前記床下空気を用いて換気しながら空調するための建築物の換気空調方法であって、現在が、予め定められた第２期間に含まれる場合に、前記各居室の温度を検出するステップと、外気の温度を検出するステップと、前記床下空気の温度を検出するステップと、前記各居室の温度が、空気調和機による冷房運転が必要とされる温度よりも低く、かつ、前記外気の温度が、予め定められた温度未満であり、しかも、前記床下空気の温度が、予め定められた温度未満であると判断された場合に、前記床下空気を前記各居室に供給する第２供給ステップとを含むパッシブ冷房モードを実行し、前記第２供給ステップは、各居室の温度と予め定められた目標温度との差に基づいて、各居室への前記床下空気の供給量を個別に調節することを特徴とする。
【０００９】
本発明に係る前記建築物の換気空調方法において、前記第２供給ステップは、前記居室の温度から前記目標温度を差し引いた値が大きい居室ほど、より多くの前記床下空気を供給するのが望ましい。
【００１０】
本発明は、基礎と地面と床とで囲まれた床下空気を蓄える床下空間と、その上方の床上空間とを具え、前記床上空間は、複数の居室に区分され、この複数の居室を前記床下空気を用いて換気しながら空調するための建築物の換気空調方法であって、前記方法は、現在が予め定められた第１期間に含まれる場合に実行されるパッシブ暖房モードと、現在が予め定められた第２期間に含まれる場合に実行されるパッシブ冷房モードとを含み、前記パッシブ暖房モードは、前記各居室の温度を検出するステップと、外気の温度を検出するステップと、前記床下空気の温度を検出するステップと、前記各居室の温度が、空気調和機による暖房運転が必要とされる温度よりも高く、かつ、前記外気の温度が、予め定められた温度以上であり、しかも、前記床下空気の温度が、予め定められた温度以上であると判断された場合に、前記床下空気を前記各居室に供給する第１供給ステップとを含み、前記パッシブ冷房モードは、前記各居室の温度を検出するステップと、外気の温度を検出するステップと、前記床下空気の温度を検出するステップと、前記各居室の温度が、前記空気調和機による冷房運転が必要とされる温度よりも低く、かつ、前記外気の温度が、予め定められた温度未満であり、しかも、前記床下空気の温度が、予め定められた温度未満であると判断された場合に、前記床下空気を前記各居室に供給する第２供給ステップとを含むことを特徴とする。
【００１１】
本発明に係る前記建築物の換気空調方法において、前記パッシブ暖房モードでの前記床下空気の総供給量は、前記パッシブ冷房モードでの前記床下空気の総供給量よりも小さいのが望ましい。
また、本発明は、基礎と地面と床とで囲まれた床下空気を蓄える床下空間と、その上方の床上空間とを具え、前記床上空間は、複数の居室に区分され、この複数の居室を前記床下空気を用いて換気しながら空調するための建築物の換気空調システムであって、前記各居室の温度を検出する手段と、外気の温度を検出する手段と、前記床下空気の温度を検出する手段と、制御手段とを含み、前記制御手段は、現在が、予め定められた第１期間に含まれるとともに、前記各居室の温度が、空気調和機による暖房運転が必要とされる温度よりも高く、かつ、前記外気の温度が、予め定められた温度以上であり、しかも、前記床下空気の温度が、予め定められた温度以上であると判断した場合に、前記床下空気を前記各居室に供給する第１供給ステップを含むパッシブ暖房モードを実行するとともに、前記第１供給ステップにおいて、前記各居室の温度と予め定められた目標温度との差に基づいて、前記各居室への前記床下空気の供給量を個別に調節することを特徴とする。
また、本発明は、基礎と地面と床とで囲まれた床下空気を蓄える床下空間と、その上方の床上空間とを具え、前記床上空間は、複数の居室に区分され、この複数の居室を前記床下空気を用いて換気しながら空調するための建築物の換気空調システムであって、前記各居室の温度を検出する手段と、外気の温度を検出する手段と、前記床下空気の温度を検出する手段と、制御手段とを含み、前記制御手段は、現在が、予め定められた第２期間に含まれるとともに、前記各居室の温度が、空気調和機による冷房運転が必要とされる温度よりも低く、かつ、前記外気の温度が、予め定められた温度未満であり、しかも、前記床下空気の温度が、予め定められた温度未満であると判断した場合に、前記床下空気を前記各居室に供給する第２供給ステップを含むパッシブ冷房モードを実行するとともに、前記第２供給ステップにおいて、前記各居室の温度と予め定められた目標温度との差に基づいて、前記各居室への前記床下空気の供給量を個別に調節することを特徴とする。
また、本発明は、基礎と地面と床とで囲まれた床下空気を蓄える床下空間と、その上方の床上空間とを具え、前記床上空間は、複数の居室に区分され、この複数の居室を前記床下空気を用いて換気しながら空調するための建築物の換気空調システムであって、前記各居室の温度を検出する手段と、外気の温度を検出する手段と、前記床下空気の温度を検出する手段と、制御手段とを含み、前記制御手段は、現在が予め定められた第１期間に含まれる場合にパッシブ暖房モードを実行するとともに、現在が予め定められた第２期間に含まれる場合にパッシブ冷房モードを実行し、前記パッシブ暖房モードは、前記各居室の温度が、空気調和機による暖房運転が必要とされる温度よりも高く、かつ、外気の温度が、予め定められた温度以上であり、しかも、前記床下空気の温度が、予め定められた温度以上であると判断した場合に、前記床下空気を前記各居室に供給する第１供給ステップを含み、前記パッシブ冷房モードは、前記各居室の温度が、前記空気調和機による冷房運転が必要とされる温度よりも低く、かつ、外気の温度が、予め定められた温度未満であり、しかも、前記床下空気の温度が、予め定められた温度未満であると判断した場合に、前記床下空気を前記各居室に供給する第２供給ステップを含むことを特徴とする。
【発明の効果】
【００１２】
請求項１記載の建築物の換気空調方法は、各居室の温度が、空気調和機による暖房運転が必要とされる温度よりも高く、かつ、外気の温度が、予め定められた温度以上であり、しかも、床下空気の温度が、予め定められた温度以上であると判断された場合に、床下空気を各居室に供給する第１供給ステップを含むパッシブ暖房モードを実行する。このような請求項１記載の換気空調方法は、空気調和機が使用されなくても、暖かい床下空気を利用して、各居室の換気と暖房とが同時に実現されうる。
【００１３】
さらに、第１供給ステップは、各居室の温度と予め定められた目標温度との差に基づいて、各居室への床下空気の供給量を個別に調節する。このような第１供給ステップにより、例えば、居室の温度から目標温度を差し引いた値が小さい居室ほど、より多くの暖かい床下空気が供給されうるため、各居室が効率よく暖房されうる。
【００１４】
請求項３記載の建築物の換気空調方法は、各居室の温度が、空気調和機による冷房運転が必要とされる温度よりも低く、かつ、外気の温度が、予め定められた温度未満であり、しかも、床下空気の温度が、予め定められた温度未満であると判断された場合に、床下空気を各居室に供給する第２供給ステップを含むパッシブ冷房モードを実行する。このような請求項３記載の換気空調方法は、空気調和機が使用されなくても、冷たい床下空気を利用して、各居室の換気と冷房とが同時に実現されうる。
【００１５】
さらに、第２供給ステップは、各居室の温度と予め定められた目標温度との差に基づいて、各居室への床下空気の供給量を個別に調節する。このような第２供給ステップにより、例えば、居室の温度から目標温度を差し引いた値が大きい居室ほど、より多くの冷たい床下空気が供給されうるため、各居室が効率よく冷房されうる。
【００１６】
請求項５記載の建築物の換気空調方法は、請求項１に記載されたパッシブ暖房モードと、請求項３に記載されたパッシブ冷房モードとを含んでいる。このような請求項５記載の建築物の換気空調方法は、床下空気を利用して、各居室が効率よく冷暖房されうる。
【図面の簡単な説明】
【００１７】
【図１】本発明の一実施形態の換気空調システムを説明するための建築物の断面図である。
【図２】本実施形態のチャンバーユニットの拡大断面図である。
【図３】本実施形態の制御手段の概念図である。
【図４】本実施形態の換気空調方法の処理手順の一例を示すフローチャートである。
【図５】本実施形態の冬季空調ステップの処理手順の一例を示すフローチャートである。
【図６】パッシブ暖房モードの処理手順の一例を示すフローチャートである。
【図７】第１供給ステップの処理手順の一例を示すフローチャートである。
【図８】本実施形態の夏季空調ステップの処理手順の一例を示すフローチャートである。
【図９】パッシブ冷房モードの処理手順の一例を示すフローチャートである。
【図１０】第２供給ステップの処理手順の一例を示すフローチャートである。
【発明を実施するための形態】
【００１８】
以下、本発明の実施の一形態が図面に基づき説明される。
図１には、本発明の一実施形態の建築物の換気空調方法（以下、単に「換気空調方法」ということがある）が実施される建築物Ｂの断面図が概念的に示されている。図１に示されるように、本実施形態では、建築物Ｂとして、住宅Ｂｈが示されている。なお、空調効果を高めるために、住宅Ｂｈは、優れた断熱性能、遮光性能及び気密性能を具えた工業化住宅であるのが望ましい。
【００１９】
住宅Ｂｈは、床下空間３と、床上空間４とを具えている。床下空間３は、基礎５と地面６と床７とで囲まれた非居住空間である。床上空間４は、床下空間３の上方に設けられた空間である。本実施形態の床上空間４は、複数の居室４Ａ乃至４Ｃと、洗面室、トイレ等の非居室４Ｄとに区分されている。
【００２０】
本実施形態の換気空調方法は、換気空調システム２が用いられる。換気空調システム２は、外気を床下空間３に導入するための基礎給気口８と、床下空間３に配されたチャンバーボックス９と、チャンバーボックス９内の空気を各居室４Ａ乃至４Ｃに供給しうる換気手段１０とを含んでいる。なお、チャンバーボックス９内の空気は、非居室４Ｄに直接供給されてもよい。さらに、本実施形態の換気空調システム２では、集熱装置２２を含むものが示されているが、この装置は、任意の要素である。
【００２１】
基礎給気口８は、基礎５の立ち上がり部に設けられた一つの開口である。この基礎給気口８を介して、床下空間３に外気が取り込まれる。本実施形態では、外気を積極的に導入するために、例えば、基礎給気口８の近傍に、基礎給気ファン１１が設けられている。基礎５は、発泡樹脂等の断熱材により、外気から断熱されていることが望ましい（図示省略）。
【００２２】
床下空間３に供給された外気は、床下空間３の地面６を介して、地冷熱と熱交換される。これにより、床下空間３に蓄えられた空気（以下、単に「床下空気」ということがある）１７は、夏期には外気よりも低く、冬期には外気よりも高い温度を持ち得る。床下空間３の地面６は、例えば、土間コンクリート等で仕上げられている。
【００２３】
図２には、チャンバーボックス９の一例が、拡大して示されている。なお、図１のチャンバーボックス９は、概念的に示されたものである。このため、図１のチャンバーボックス９と、図２に示されているチャンバーボックス９とは必ずしも一致していない。図２に示されるように、チャンバーボックス９は、略箱状であり、第１空間９Ａと、第２空間９Ｂと、これらの間に設けられた開閉部９Ｃとを含んでいる。チャンバーボックス９は、各居室４Ａ乃至４Ｃ（図１に示す）に供給するための空気を蓄える空間として用いられる。
【００２４】
第１空間９Ａは、チャンバーボックス９の水平方向の一端側に設けられている。第１空間９Ａを区画するチャンバーボックス９の壁面は、断熱材１２が配されるのが望ましい。
【００２５】
第１空間９Ａには、床下空気１７を取り込むための第１導入口１３が設けられている。従って、第１空間９Ａは、第１導入口１３から床下空気（即ち、地冷熱と熱交換された外気）１７が導入されうる。本実施形態の第１導入口１３は、第１空間９Ａの上面側に設けられているが、その位置は任意に定められうる。また、本実施形態の第１導入口１３には、電気制御により開閉可能な開閉部３０が設けられている。
【００２６】
第１空間９Ａには、集熱装置２２で温められた外気を取り込むための第２導入口１９が設けられている。従って、第１空間９Ａは、集熱装置２２（図１に示す）で温められた外気が取り込まれうる。また、第２導入口１９には、開閉可能な開閉部２１が設けられている。
【００２７】
第１空間９Ａには、その中の空気を排出するための排気口１４が設けられている。排気口１４は、例えば、第１空間９Ａの側面に設けられている。排気口１４には、換気手段１０のダクト１０Ａの一端１０Ａｉが接続されている。これらについては、後で詳述する。
【００２８】
第２空間９Ｂは、チャンバーボックス９の水平方向の他端側に設けられている。第２空間９Ｂを区画するチャンバーボックス９の壁面にも、断熱材１２が配されているのが望ましい。
【００２９】
第２空間９Ｂには、空気調和機（エアコン）１６が収納されている。本実施形態の空気調和機１６は、一般的な家庭用のセパレート型エアコンである。第２空間９Ｂには、空気調和機１６の室内機が配置されている。空気調和機１６の室外機（図示省略）は、建築物Ｂの外部に設置されている。
【００３０】
空気調和機１６は、空気を吸い込む吸気部１６ａと、内部で冷媒と熱交換された空気を排気する排気部１６ｂとを有している。従って、空気調和機１６の運転により、第２空間９Ｂには、空調された空気が導入される。本実施形態の第２空間９Ｂには、空気調和機１６の吸気部１６ａに、床上空間４の空気を供給するための床上空気導入口１８が設けられている。
【００３１】
開閉部９Ｃは、第１空間９Ａと第２空間９Ｂとの間で、開閉可能に設けられている。このような開閉部９Ｃにより、第１空間９Ａと第２空間９Ｂとは、相互に連通するか又は遮断される。
【００３２】
開閉部９Ｃが遮断位置に切換えられている場合、チャンバーボックス９の第１空間９Ａには、「地面６と熱交換した床下空気１７」のみが供給される。一方、開閉部９Ｃが連通位置に切換えられ、かつ、空気調和機１６が運転されている場合、チャンバーボックス９の第１空間９Ａには、「地面６と熱交換した床下空気１７」と、「空気調和機１６によって空調された空気」との「混合空気」が供給される。
【００３３】
図１に示されるように、換気手段１０は、ダクト１０Ａと、ファン１０Ｂと、空気浄化装置１０Ｃとを含んでいる。本実施形態のファン１０Ｂ及び空気浄化装置１０Ｃは、いずれも、床下空間３に配置されている。
【００３４】
ダクト１０Ａの一端１０Ａｉは、チャンバーボックス９の排気口１４に接続されている。ダクト１０Ａの他端１０Ａｏは、各居室４Ａ、４Ｂ及び４Ｃの天井部分に位置している。ダクト１０Ａの各他端１０Ａｏは、それぞれ、床下空気１７（又は、前記混合空気）の風量を調節可能なダンパー２０（２０ａ〜２０ｃ）を介して、各居室４Ａ、４Ｂ及び４Ｃに連通している。なお、本実施形態のダクト１０Ａは、１階用と２階用との２系統が設けられているが、これらを集約して一つの系統とされても良い。
【００３５】
ダンパー２０の開度（開口面積）が大きいほど、床下空気１７（又は、前記混合空気）の供給量が大きくなる。ダンパー２０の開度は、複数段階で調整されうる。本実施形態のダンパー２０の開度は、例えば、第１開度〜第５開度の５段階で調整されうる。なお、各開度は、第１開度から第５開度に向かって漸増している。このようなダンパー２０により、居室４Ａ、４Ｂ及び４Ｃ毎に、床下空気１７（又は、前記混合空気）の供給量が柔軟に調節されうる。
【００３６】
ファン１０Ｂは、ダクト１０Ａの一端１０Ａｉから他端１０Ａｏに向かう強制的な空気の流れを生成するファンによって構成されている。従って、ファン１０Ｂを運転することにより、チャンバーボックス９の第１空間９Ａ内の空気は、排気口１４から、ダクト１０Ａの他端１０Ａｏへと送給される。
【００３７】
ファン１０Ｂの風量は、複数段階で設定されうる。本実施形態のファン１０Ｂの風量は、例えば、第１風量〜第４風量から選択される。第１風量は、建築物Ｂに必要な換気回数に基づいて、例えば、１７５ｍ3／ｈに設定される。第２風量は、第１風量よりも大に設定され、例えば、６００ｍ3／ｈである。第３風量は、第２風量よりも大に設定され、例えば、８００ｍ3／ｈである。第４風量は、第３風量よりも大に設定され、例えば、１０００ｍ3／ｈである。なお、これらの風量に限定されるわけではない。
【００３８】
空気浄化装置１０Ｃは、例えば、ダクト１０Ａの一端１０Ａｉと他端１０Ａｏとの間に設けられている。本実施形態の空気浄化装置１０Ｃは、ファン１０Ｂの上流側に設けられている。空気浄化装置１０Ｃとしては、ダクト１０Ａ内の空気から花粉、微粒子状物質、塵埃等を除去するものであれば、種々の形式のものが採用されうる。
【００３９】
本実施形態の換気空調システム２は、床下温度検知手段２３、外気温度検知手段２４、居室温度検知手段２５、及び、制御手段２６をさらに含んでいる。図３は、本実施形態の制御手段２６の概念図である。
【００４０】
図１に示されるように、床下温度検知手段２３は、床下空間３内に配置された温度センサーによって構成されている。外気温度検知手段２４は、屋外に配置された温度センサーによって構成されている。居室温度検知手段２５（２５ａ〜２５ｃ）は、各居室４Ａ、４Ｂ及び４Ｃ内に配置された温度センサーによって構成されている。図３に示されるように、床下温度検知手段２３、外気温度検知手段２４及び居室温度検知手段２５（２５ａ〜２５ｃ）は、制御手段２６に接続されている。これにより、床下空気１７の温度、各居室４Ａ、４Ｂ及び４Ｃの温度、及び、外気の温度が、制御手段２６に伝達されうる。
【００４１】
本実施形態の制御手段２６は、図１に示されるように、例えば、間仕切り壁等に設置されている。図３に示されるように、制御手段２６は、ＣＰＵ（中央演算装置）からなる演算部３３と、制御手順が予め記憶されている記憶部３４と、記憶部３４から制御手順を読み込む作業用メモリ３５とを含んで構成されている。
【００４２】
演算部３３には、チャンバーボックス９の開閉部９Ｃ、第１導入口１３の開閉部３０、第２導入口１９の開閉部２１、及び、各居室４Ａ、４Ｂ及び４Ｃのダンパー２０（２０ａ〜２０ｃ）が接続されている。これにより、チャンバーボックス９の開閉部９Ｃ、第１導入口１３の開閉部３０、第２導入口１９の開閉部２１、及び、各居室４Ａ、４Ｂ及び４Ｃのダンパー２０（２０ａ〜２０ｃ）は、演算部３３からの信号が伝達されることによって、それぞれ独立して開閉されうる。さらに、演算部３３は、換気手段１０のファン１０Ｂ、及び、空気調和機１６が接続されている。これにより、ファン１０Ｂ、及び、空気調和機１６は、演算部３３からの信号が伝達されることによって、それぞれ運転が制御されうる。
【００４３】
次に、本実施形態の換気空調システム２を用いた換気空調方法について説明する。本実施形態の換気空調方法では、例えば、冬季（１０月〜３月）と、夏季（４月〜９月）とで、異なる処理手順が実施される。なお、冬季及び夏季は、例示した期間に限定されるわけではない。図４は、本実施形態の換気空調方法の処理手順の一例を示すフローチャートである。
【００４４】
本実施形態の換気空調方法では、先ず、現在が冬季又は夏季のいずれに属するかが判断される（ステップＳ１）。これらの判断は、制御手段２６（図３に示す）によって行われる。現在が冬季であると判断された場合、次の冬季空調ステップＳ２が実施される。他方、現在が夏季であると判断された場合、次の夏季空調ステップＳ３が実施される。
【００４５】
冬季空調ステップＳ２では、空気調和機１６（図１に示す）による暖房が不要な中間期間、空気調和機１６による暖房が必要な暖房期間、及び、中間期間と暖房期間との間の第１期間（以下、単に「冬季パッシブ期間」ということがある。）で、異なる処理手順が実施される。中間期間は、例えば、４月２８日〜６月１６日と、９月２３日〜１０月２５日である。暖房期間は、例えば、１２月９日〜２月２０日である。第１期間（冬季パッシブ期間）は、例えば、２月２１日〜４月２７日と、１０月２６日〜１２月８日である。なお、中間期間、暖房期間、及び、第１期間（冬季パッシブ期間）は、例示した期間に限定されるわけではなく、例えば、建築物Ｂ（図１に示す）が竣工された地域の気候に応じて、適宜設定されうる。図５は、本実施形態の冬季空調ステップＳ２の処理手順の一例を示すフローチャートである。
【００４６】
冬季空調ステップＳ２では、先ず、現在が中間期間、暖房期間、又は、第１期間（冬季パッシブ期間）のいずれに属するかが判断される（ステップＳ２１）。これらの判断は、制御手段２６（図３に示す）によって行われる。現在が、中間期間に含まれると判断された場合、次の換気モードＳ２２が実施される。また、現在が、暖房期間に含まれると判断された場合、次の暖房モードＳ２３が実施される。さらに、現在が、第１期間（冬季パッシブ期間）に含まれると判断された場合、次の、パッシブ暖房モードＳ２４が実施される。
【００４７】
換気モードＳ２２では、図１及び図２に示されるように、チャンバーボックス９の開閉部９Ｃによって、第１空間９Ａと第２空間９Ｂとが遮断される。さらに、換気手段１０のファン１０Ｂが運転される。これにより、チャンバーボックス９の第１空間９Ａには、第１導入口１３から床下空気１７（外気）が導入される。さらに、第１空間９Ａの床下空気１７は、排気口１４からダクト１０Ａ、空気浄化装置１０Ｃを経由して清浄化された後、ダンパー２０（２０ａ〜２０ｃ）を介して、各居室４Ａ、４Ｂ及び４Ｃに供給される。また、居室４Ａ、４Ｂ及び４Ｃ内の空気は、各居室４Ａ〜４Ｃ又は非居室４Ｄに設けられた排気用のファン３８等によって、屋外へと排出される。これにより、各居室４Ａ、４Ｂ及び４Ｃは、清浄化された外気によって換気される。これらの換気モードＳ２２の一連の処理は、制御手段２６によって行われる。また、換気手段１０のファン１０Ｂの風量は、建築物Ｂに必要な換気回数に基づいて設定された第１風量（例えば、１７５ｍ3／ｈ）に設定されている。各居室４Ａ、４Ｂ又は４Ｃのダンパー２０は、第１開度〜第５開度から適宜選択される。
【００４８】
次に、暖房モードＳ２３では、チャンバーボックス９の開閉部９Ｃによって、第１空間９Ａと第２空間９Ｂとが連通される。また、空気調和機１６が暖房運転される。さらに、換気手段１０のファン１０Ｂが運転される。これにより、第１空間９Ａにおいて、床下空間３の空気と、空気調和機１６の暖房運転で積極的に空調された空気とが混合される。そして、この混合空気が換気手段１０によって各居室４Ａ、４Ｂ及び４Ｃに供給される。これにより、換気を行いながら、空気調和機１６による積極的な暖房（空調）が実現されうる。
【００４９】
前記混合空気には、換気用の外気として、床下空間３の空気が利用されている。このため、床下空間３以外の外気が直接導入される場合に比して、換気による温度変化が、より小さく抑えられうる。また、ファン１０Ｂの風量は、例えば、各居室４Ａ、４Ｂ及び４Ｃの温度に応じて、第２風量（例えば、６００ｍ3／ｈ）、第３風量（例えば、８００ｍ3／ｈ）、又は、第４風量（例えば、１０００ｍ3／ｈ）から選択される。さらに、各居室４Ａ、４Ｂ又は４Ｃのダンパー２０（２０ａ〜２０ｃ）も、第１開度〜第５開度から適宜選択される。これらの暖房モードＳ２３の一連の処理は、制御手段２６によって行われる。
【００５０】
次に、パッシブ暖房モードＳ２４では、床下空気１７が各居室４Ａ、４Ｂ及び４Ｃに供給されることにより、居室４Ａ、４Ｂ及び４Ｃがそれぞれ換気されながら空調される。図６は、パッシブ暖房モードＳ２４の処理手順の一例を示すフローチャートである。パッシブ暖房モードＳ２４の一連の処理は、制御手段２６（図３に示す）によって行われる。
【００５１】
パッシブ暖房モードＳ２４では、先ず、図１及び図３に示されるように、各居室４Ａ、４Ｂ及び４Ｃの温度が検出される（ステップＳ２４１）。各居室４Ａ、４Ｂ及び４Ｃの温度は、居室温度検知手段２５によってそれぞれ検出される。各居室４Ａ、４Ｂ及び４Ｃの温度は、制御手段２６に伝達される。
【００５２】
次に、パッシブ暖房モードＳ２４では、外気の温度が検出される（ステップＳ２４２）。外気の温度は、外気温度検知手段２４によって検出される。外気の温度は、制御手段２６に伝達される。
【００５３】
次に、パッシブ暖房モードＳ２４では、床下空気１７の温度が検出される（ステップＳ２４３）。床下空気１７の温度は、床下温度検知手段２３によって検出される。床下空気１７の温度は、制御手段２６に伝達される。
【００５４】
次に、パッシブ暖房モードＳ２４では、各居室４Ａ、４Ｂ及び４Ｃの温度が、空気調和機１６による暖房運転が必要とされる温度よりも高いか否かが判断される（ステップＳ２４４）。なお、「空気調和機１６による暖房運転が必要とされる温度」については、例えば、建築物Ｂの構造や、床下空気１７による暖房能力（温度）等に応じて、適宜設定されうる。本実施形態では、例えば、１５℃程度に設定されている。
【００５５】
各居室４Ａ、４Ｂ及び４Ｃの温度が、空気調和機１６による暖房運転が必要とされる温度（例えば、１５℃）よりも高い場合（ステップＳ２４４で、「Ｙ」）、床下空気１７を利用して暖房（空調）可能と判断されうる。このような場合、次のステップＳ２４５が実施される。他方、各居室４Ａ、４Ｂ及び４Ｃの温度が、空気調和機１６による暖房運転が必要とされる温度（例えば、１５℃）以下である場合（ステップＳ２４４で。「Ｎ」）、床下空気１７を利用しても、各居室４Ａ、４Ｂ及び４Ｃを十分に暖房できないと判断されうる。このような場合、パッシブ暖房モードＳ２４が中断され、前記暖房モードＳ２３（図５に示す）が実施される。
【００５６】
次に、パッシブ暖房モードＳ２４では、外気の温度が、予め定められた温度以上であるか否かが判断される（ステップＳ２４５）。外気の「予め定められた温度」については、例えば、建築物Ｂの構造や、床下空気１７による暖房能力（温度）等に応じて、適宜設定されうる。本実施形態では、例えば、１０℃に設定されている。
【００５７】
外気の温度が、予め定められた温度（例えば、１０℃）度以上である場合（ステップＳ２４５で、「Ｙ」）、外気による居室４Ａ、４Ｂ及び４Ｃの温度低下の影響が小さいため、床下空気１７を利用して、各居室４Ａ、４Ｂ及び４Ｃを暖房（空調）できると判断されうる。このような場合、次のステップＳ２４６が実施される。他方、外気の温度が、予め定められた温度（例えば、１０℃）未満である場合（ステップＳ２４５で、「Ｎ」）、床下空気１７を利用しても、各居室４Ａ、４Ｂ及び４Ｃを十分に暖房できないと判断されうる。このような場合、パッシブ暖房モードＳ２４が中断され、前記暖房モードＳ２３（図５に示す）が実施される。
【００５８】
次に、パッシブ暖房モードＳ２４では、床下空気１７の温度が、予め定められた温度以上であるか否かが判断される（ステップＳ２４６）。床下空気１７の「予め定められた温度」については、例えば、建築物Ｂの構造等に応じて、適宜設定されうる。本実施形態では、例えば、１８℃に設定されている。
【００５９】
床下空気１７の温度が、予め定められた温度（例えば、１８℃）以上である場合（ステップＳ２４６で、「Ｙ」）、比較的温度が高い床下空気１７を利用して、各居室４Ａ、４Ｂ及び４Ｃを暖房（空調）できると判断されうる。このような場合、次の第１供給ステップ２４７が実施される。他方、床下空気１７の温度が、予め定められた温度（例えば、１８℃）未満である場合（ステップＳ２４６で、「Ｎ」）、床下空気１７を利用しても、各居室４Ａ、４Ｂ及び４Ｃを効果的に暖房できないと判断されうる。このような場合、パッシブ暖房モードＳ２４が中断され、暖房モードＳ２３（図５に示す）が実施される。
【００６０】
次に、パッシブ暖房モードＳ２４では、床下空気１７が、各居室４Ａ、４Ｂ及び４Ｃに供給される（第１供給ステップＳ２４７）。第１供給ステップＳ２４７は、ステップＳ２４４〜ステップＳ２４６の判断により、各居室４Ａ、４Ｂ及び４Ｃの温度が、空気調和機１６による暖房運転が必要とされる温度よりも高く、かつ、外気の温度が、予め定められた温度以上であり、しかも、床下空気１７の温度が、予め定められた温度以上であると判断された場合にのみ実施される。従って、第１供給ステップＳ２４７では、各居室４Ａ、４Ｂ及び４Ｃの温度、外気の温度、及び、床下空気１７の温度が比較的高いため、空気調和機１６を使用しなくても、床下空気１７を利用して、各居室４Ａ、４Ｂ及び４Ｃが効果的に暖房（空調）されうる。従って、空調コストの増大を防ぐことができる。図７は、第１供給ステップＳ２４７の処理手順の一例を示すフローチャートである。
【００６１】
図１、図２及び図７に示されるように、本実施形態の第１供給ステップＳ２４７では、先ず、換気手段１０のファン１０Ｂの風量（床下空気１７の総供給量）が設定される（ステップＳ７１）。本実施形態のファン１０Ｂの風量は、例えば、冬季の自然換気量を考慮して、比較的小さい第２風量（６００ｍ3／ｈ）に設定されている。なお、ステップＳ７１では、チャンバーボックス９の開閉部９Ｃによって、第１空間９Ａと第２空間９Ｂとが遮断される。これにより、チャンバーボックス９の第１空間９Ａの空気は、排気口１４からダクト１０Ａ、空気浄化装置１０Ｃを経由して清浄化された後、ダンパー２０（２０ａ〜２０ｃ）を介して、各居室４Ａ、４Ｂ及び４Ｃ等の床上空間４に供給されうる。
【００６２】
次に、第１供給ステップＳ２４７では、各居室４Ａ、４Ｂ及び４Ｃの温度と予め定められた目標温度との差Ｖａが求められる（ステップＳ７２）。目標温度は、適宜設定されうる。本実施形態の目標温度は、ヒートショックを未然に防ぐ観点より、例えば、２０℃に設定されるのが望ましい。また、目標温度は、居室４Ａ、４Ｂ及び４Ｃ毎に設定されてもよい。目標温度は、記憶部３４に予め記憶されている。
【００６３】
差Ｖａは、居室４Ａ、４Ｂ及び４Ｃ毎に求められる。本実施形態の差Ｖａは、各居室４Ａ、４Ｂ及び４Ｃの温度から目標温度を差し引いた値として求められる。この値（差Ｖａ）が大きいほど、各居室４Ａ、４Ｂ及び４Ｃの温度が大きいことを示している。
【００６４】
本実施形態では、ステップＳ２４６で判断された床下空気１７の温度（１８℃）が、目標温度（２０℃）よりも小に設定されている。このため、床下空気１７を利用しても、各居室４Ａ、４Ｂ及び４Ｃを目標温度まで暖めることができないようにも考えられる。しかしながら、本実施形態の各居室４Ａ、４Ｂ及び４Ｃは、家電製品や、居住者等による内部発熱を有するため、目標温度よりもやや小さい床下空気１７が利用されたとしても、各居室４Ａ、４Ｂ及び４Ｃを目標温度まで十分に暖めうる。このように、床下空気１７の温度が、目標温度よりも小であっても、空気調和機１６を使用しないパッシブ暖房モードＳ２４が実施されるため、空調コストが抑制されうる。
【００６５】
次に、第１供給ステップＳ２４７では、各居室４Ａ、４Ｂ及び４Ｃの前記差Ｖａに基づいて、各居室４Ａ、４Ｂ及び４Ｃのダンパー２０（２０ａ〜２０ｃ）の開度が調節される（ステップＳ７３〜ステップＳ７９）。本実施形態では、前記差Ｖａが小さい居室４Ａ、４Ｂ及び４Ｃほど、ダンパー２０の開度（床下空気１７の供給量）が大に設定されている。これにより、温度が低い居室４Ａ、４Ｂ及び４Ｃほど、より多くの暖かい床下空気１７が供給されるため、各居室４Ａ、４Ｂ及び４Ｃが効率良く暖房されうる。
【００６６】
例えば、前記差Ｖａが＋１．５℃よりも大である居室４Ａ、４Ｂ又は４Ｃのダンパー２０は、最も小さい第１開度が設定される（ステップＳ７４）。前記差Ｖａが＋０．５℃〜＋１．５℃である居室４Ａ、４Ｂ又は４Ｃのダンパー２０は、第１開度よりも大である第２開度に設定される（ステップＳ７５）。前記差Ｖａが−０．５℃〜＋０．５℃である居室４Ａ、４Ｂ又は４Ｃのダンパー２０は、第２開度よりも大である第３開度に設定される（ステップＳ７６）。
【００６７】
さらに、前記差Ｖａが−１．５℃〜−０．５℃である居室４Ａ、４Ｂ又は４Ｃのダンパー２０（２０ａ〜２０ｃ）は、第３開度よりも大である第４開度に設定される（ステップＳ７７）。前記差Ｖａが−１．５℃未満である居室４Ａ、４Ｂ又は４Ｃのダンパー２０は、第４開度よりも大である第５開度に設定される（ステップＳ７８）。
【００６８】
そして、全ての居室４Ａ、４Ｂ及び４Ｃのダンパー２０（２０ａ〜２０ｃ）の開度が調節されたか否かが判断される（ステップＳ７９）。全ての居室４Ａ、４Ｂ及び４Ｃのダンパー２０の開度が調節されたと判断された場合（ステップＳ７９で、「Ｙ」）、次のステップＳ２４８（図６に示す）が実施される。他方、全ての居室４Ａ、４Ｂ及び４Ｃのダンパー２０の開度が調節されていないと判断された場合（ステップＳ７９で、「Ｎ」）、他の居室４Ａ、４Ｂ又は４Ｃのダンパー２０が選択され（ステップＳ８０）、ステップＳ７３〜Ｓ７９が再度実施される。これにより、前記差Ｖａに基づいて、全ての居室４Ａ、４Ｂ及び４Ｃのダンパー２０の開度がそれぞれ調節されうる。従って、各居室４Ａ、４Ｂ及び４Ｃへの床下空気１７の供給量が、個別に調節されうる。
【００６９】
なお、ダンパー２０（２０ａ〜２０ｃ）の各開度を区分した前記差Ｖａの各閾値（本実施形態では、「＋１．５℃」、「＋０．５℃」、「−０．５℃」、「−１．５℃」）については、例えば、換気手段１０のファン１０Ｂの風量に応じて、適宜変更されうる。また、本実施形態の前記差Ｖａは、各居室４Ａ、４Ｂ及び４Ｃの温度から目標温度を差し引いた値として求められる態様が例示されたが、これに限定されない。例えば、目標温度から各居室４Ａ、４Ｂ及び４Ｃの温度を差し引いた値として求められてもよい。この場合、前記差Ｖａが大きいほど、ダンパー２０の開度（床下空気１７の供給量）が大に設定されるのが望ましい。
【００７０】
次に、図１及び図６に示されるように、パッシブ暖房モードＳ２４では、第１供給ステップＳ２４７の開始から予め定められた時間が経過するまで、各居室４Ａ、４Ｂ及び４Ｃへの床下空気１７の供給が残置される（ステップＳ２４８）。このような残置により、第１供給ステップＳ２４７で設定された各居室４Ａ、４Ｂ及び４Ｃのダンパー２０（２０ａ〜２０ｃ）の開度に基づいて、床下空気１７が一定時間供給されるため、各居室４Ａ、４Ｂ及び４Ｃが効果的に暖房されうる。残置される時間については、適宜設定されうる。本実施形態では、換気手段１０のファン１０Ｂの風量や、各居室４Ａ、４Ｂ及び４Ｃへの床下空気１７の供給量等を考慮して、例えば、２０分〜３０分程度に設定されている。
【００７１】
次に、パッシブ暖房モードＳ２４では、各居室４Ａ、４Ｂ及び４Ｃの温度が、予め定められた温度以上か否かが判断される（ステップＳ２４９）。各居室４Ａ、４Ｂ及び４Ｃの「予め定められた温度」については、適宜設定されうる。本実施形態では、例えば、第１供給ステップＳ２４７で設定された目標温度（例えば、２０℃）と、ステップＳ２４６で判断された床下空気１７の温度（１８℃）との間の温度（１９℃）に設定される。これにより、床下空気１７を利用して、各居室４Ａ、４Ｂ及び４Ｃの温度が目標温度に向かって、効果的に暖房されているか否かが判断されうる。
【００７２】
各居室４Ａ、４Ｂ及び４Ｃの温度が前記温度（１９℃）以上である場合（ステップＳ２４９で、「Ｙ」）、床下空気１７を利用して、各居室４Ａ、４Ｂ及び４Ｃが効果的に暖房されていると判断されうる。このような場合、次のステップＳ２５０が実施される。他方、各居室４Ａ、４Ｂ及び４Ｃの温度が前記温度未満（即ち、少なくとも一つの居室４Ａ、４Ｂ及び４Ｃの温度が前記温度未満）である場合（ステップＳ２４９で、「Ｎ」）、床下空気１７を利用しても、各居室４Ａ、４Ｂ及び４Ｃを効果的に暖房できないと判断されうる。この場合、パッシブ暖房モードＳ２４が中断され、暖房モードＳ２３（図５に示す）が実施される。このように、本実施形態では、各居室４Ａ、４Ｂ及び４Ｃに床下空気１７が一定時間供給されても、各居室４Ａ、４Ｂ及び４Ｃが十分に暖房されないと判断された場合に、パッシブ暖房モードＳ２４が中断され、暖房モードＳ２３が迅速に実施される。従って、各居室４Ａ、４Ｂ及び４Ｃが確実に暖房されうる。
【００７３】
次に、パッシブ暖房モードＳ２４では、ステップ２４１〜ステップＳ２４９を経た現在において、第１期間（冬季パッシブ期間）か否かが判断される（ステップＳ２５０）。現在が第１期間であると判断された場合（ステップＳ２５０で、「Ｙ」）、ステップＳ２４５〜Ｓ２５０が再度実施される。これにより、第１期間（冬季パッシブ期間）では、空気調和機１６を使用しなくても、自然エネルギーのみを利用して、各居室４Ａ、４Ｂ及び４Ｃが継続して暖房（空調）されうるため、空調コストの増大が防がれうる。
【００７４】
他方、現在が第１期間（冬季パッシブ期間）外であると判断された場合（ステップＳ２５０で、「Ｎ」）、パッシブ暖房モードＳ２４及び冬季空調ステップＳ２の一連の処理が終了し、次のステップＳ４（図４に示す）が実施される。これにより、冬季空調ステップＳ２では、現在が属する期間に応じて、各居室４Ａ、４Ｂ及び４Ｃが、効率よく暖房（空調）されうる。
【００７５】
図８は、本実施形態の夏季空調ステップＳ３の処理手順の一例を示すフローチャートである。図１及び図８に示されるように、夏季空調ステップＳ３では、空気調和機１６による冷房が不要な中間期間、空気調和機による冷房が必要な冷房期間、及び、中間期間と冷房期間との間の第２期間（以下、単に「夏季パッシブ期間」ということがある。）で、異なる処理手順が実施される。中間期間は、例えば、４月２８日〜６月１６日と、９月２３日〜１０月２５日である。冷房期間は、例えば、８月１日〜８月２１日である。第２期間（夏季パッシブ期間）は、例えば、６月１７日〜７月３１日と、８月２２日〜９月２２日である。なお、中間期間、冷房期間、及び、第２期間（夏季パッシブ期間）は、例示した期間に限定されるわけではなく、例えば、建築物Ｂが竣工された地域の気候に応じて、適宜変更されうる。
【００７６】
夏季空調ステップＳ３では、先ず、現在が中間期間、冷房期間、又は、第２期間（夏季パッシブ期間）のいずれに属するかが判断される（ステップＳ３１）。これらの判断は、制御手段２６によって行われる。現在が、中間期間に含まれると判断された場合、次の換気モードＳ３２が実施される。また、現在が、冷房期間に含まれると判断された場合、次の冷房モードＳ３３が実施される。さらに、現在が、第２期間（夏季パッシブ期間）に含まれると判断された場合、次の、パッシブ冷房モードＳ３４が実施される。
【００７７】
換気モードＳ３２では、冬季空調ステップＳ２の換気モードＳ２２と同様に、第１空間９Ａと第２空間９Ｂとが遮断される。さらに、換気手段１０のファン１０Ｂが運転される。これにより、チャンバーボックス９、換気手段１０及びダンパー２０（２０ａ〜２０ｃ）を介して、床下空気１７が各居室４Ａ、４Ｂ及び４Ｃに供給される。また、居室４Ａ、４Ｂ及び４Ｃの空気は、排気用のファン３８等によって屋外へ排出される。これにより、各居室４Ａ、４Ｂ及び４Ｃは、清浄化された外気によって換気される。これらの換気モードＳ３２の一連の処理は、制御手段２６によって行われる。また、ファン１０Ｂの風量は、第１風量（例えば、１７５ｍ3／ｈ）に設定されている。各居室４Ａ、４Ｂ又は４Ｃのダンパー２０は、第１開度〜第５開度から適宜選択される。
【００７８】
次に、冷房モードＳ３３では、冬季空調ステップＳ２の暖房モードＳ２３と同様に、第１空間９Ａと第２空間９Ｂとが連通され、空気調和機１６が暖房運転される。さらに、換気手段１０のファン１０Ｂが運転される。これにより、床下空間３の空気と、冷房運転で空調された空気との混合空気が、換気手段１０によって各居室４Ａ、４Ｂ及び４Ｃに供給される。これにより、換気を行いながら、空気調和機１６による積極的な冷房（空調）が実現されうる。混合空気には、換気用の外気として、床下空気１７が利用されているため、夏季においても、換気による温度変化が、より小さく抑えられうる。また、ファン１０Ｂの風量は、例えば、各居室４Ａ、４Ｂ及び４Ｃの温度に応じて、第２風量〜第４風量から適宜選択される。さらに、各居室４Ａ、４Ｂ又は４Ｃのダンパー２０（２０ａ〜２０ｃ）も、第１開度〜第５開度から適宜選択される。これらの冷房モードＳ３３の一連の処理は、制御手段２６によって行われる。
【００７９】
パッシブ冷房モードＳ３４では、床下空気１７が各居室４Ａ、４Ｂ及び４Ｃに供給されることにより、居室４Ａ、４Ｂ及び４Ｃが換気されながら空調される。図９は、パッシブ冷房モードＳ３４の処理手順の一例を示すフローチャートである。パッシブ冷房モードＳ３４の一連の処理は、制御手段２６によって行われる。
【００８０】
パッシブ冷房モードＳ３４では、先ず、図１及び図３に示されるように、各居室４Ａ、４Ｂ及び４Ｃの温度が検出される（ステップＳ３４１）。次に、パッシブ冷房モードＳ３４では、外気の温度が検出される（ステップＳ３４２）。次に、パッシブ冷房モードＳ３４では、床下空気１７の温度が検出される（ステップＳ３４３）。各居室４Ａ、４Ｂ及び４Ｃの温度、外気の温度、並びに、床下空気１７の温度は、制御手段２６に伝達される。
【００８１】
次に、パッシブ冷房モードＳ３４では、各居室４Ａ、４Ｂ及び４Ｃの温度が、空気調和機１６による冷房運転が必要とされる温度よりも低いか否かが判断される（ステップＳ３４４）。なお、「空気調和機１６による冷房運転が必要とされる温度」については、例えば、建築物Ｂの構造や、床下空気１７による冷房能力（温度）等に応じて、適宜設定されうる。本実施形態では、例えば、３１℃程度に設定されている。
【００８２】
各居室４Ａ、４Ｂ及び４Ｃの温度が、空気調和機１６による冷房運転が必要とされる温度（例えば、３１℃）よりも低い場合（ステップＳ３４４で、「Ｙ」）、床下空気１７を利用して冷房（空調）可能と判断されうる。このような場合、次のステップＳ３４５が実施される。他方、各居室４Ａ、４Ｂ及び４Ｃの温度が、空気調和機１６による冷房運転が必要とされる温度（例えば、３１℃）よりも高い場合（ステップＳ３４４で、「Ｎ」）、床下空気１７を利用しても、各居室４Ａ、４Ｂ及び４Ｃを効果的に冷房できないと判断されうる。このような場合、パッシブ冷房モードＳ３４が中断され、前記冷房モードＳ３３（図８に示す）が実施される。
【００８３】
次に、パッシブ冷房モードＳ３４では、外気の温度が、予め定められた温度未満であるか否かが判断される（ステップＳ３４５）。外気の「予め定められた温度」については、例えば、建築物Ｂの構造や、床下空気１７による冷房能力（温度）等に応じて、適宜設定されうる。本実施形態では、例えば、３０℃に設定されている。
【００８４】
外気の温度が、予め定められた温度（例えば、３０℃）未満である場合（ステップＳ３４５で、「Ｙ」）、外気による居室４Ａ、４Ｂ及び４Ｃの温度上昇の影響が小さいため、床下空気１７を利用して、各居室４Ａ、４Ｂ及び４Ｃを冷房（空調）できると判断されうる。このような場合、次のステップ３４６が実施される。他方、外気の温度が、予め定められた温度（例えば、３０℃）以上である場合（ステップＳ３４５で、「Ｎ」）、床下空気１７を利用しても、各居室４Ａ、４Ｂ及び４Ｃを効果的に冷房できないと判断されうる。このような場合、パッシブ冷房モードＳ３４が中断され、前記冷房モードＳ３３（図８に示す）が実施される。
【００８５】
次に、パッシブ冷房モードＳ３４では、床下空気１７の温度が、予め定められた温度未満であるか否かが判断される（ステップＳ３４６）。床下空気１７の「予め定められた温度」については、例えば、建築物Ｂの構造等に応じて、適宜設定されうる。本実施形態では、例えば、２２℃に設定されている。
【００８６】
床下空気１７の温度が、予め定められた温度（例えば、２２℃）未満である場合（ステップＳ３４６で、「Ｙ」）、比較的温度が低い床下空気１７を利用して、各居室４Ａ、４Ｂ及び４Ｃを冷房（空調）できると判断されうる。このような場合、次の第２供給ステップ３４７が実施される。他方、床下空気１７の温度が、予め定められた温度（例えば、２２℃）以上である場合（ステップＳ３４６で、「Ｎ」）、床下空気１７を利用しても、各居室４Ａ、４Ｂ及び４Ｃを効果的に冷房できないと判断されうる。このような場合、パッシブ冷房モードＳ３４が中断され、前記冷房モードＳ３３（図８に示す）が実施される。
【００８７】
次に、パッシブ冷房モードＳ３４では、床下空気１７が、各居室４Ａ、４Ｂ及び４Ｃに供給される（第２供給ステップＳ３４７）。第２供給ステップＳ３４７は、ステップＳ３４４〜ステップＳ３４６の判断により、各居室４Ａ、４Ｂ及び４Ｃの温度が、空気調和機１６による冷房運転が必要とされる温度よりも低く、かつ、外気の温度が、予め定められた温度未満であり、しかも、床下空気１７の温度が、予め定められた温度未満であると判断された場合にのみ実施される。従って、第２供給ステップＳ３４７では、各居室４Ａ、４Ｂ及び４Ｃの温度、外気の温度、及び、床下空気１７の温度が比較的低いため、空気調和機１６を使用しなくても、床下空気１７を利用して、各居室４Ａ、４Ｂ及び４Ｃが効果的に冷房（空調）されうる。従って、空調コストの増大を防ぐことができる。図１０は、第２供給ステップＳ３４７の処理手順の一例を示すフローチャートである。
【００８８】
図１及び図１０に示されるように、本実施形態の第２供給ステップＳ３４７では、先ず、換気手段１０のファン１０Ｂの風量（床下空気１７の総供給量）が設定される（ステップＳ８１）。本実施形態のファン１０Ｂの風量は、例えば、冬季と比べて自然換気量が少ないため、第４風量（例えば、１０００ｍ3／ｈ）が設定されている。なお、ステップＳ８１では、図１及び図２に示されるように、チャンバーボックス９の開閉部９Ｃによって、第１空間９Ａと第２空間９Ｂとが遮断される。これにより、チャンバーボックス９の第１空間９Ａの空気は、排気口１４からダクト１０Ａ、空気浄化装置１０Ｃを経由して清浄化された後、ダンパー２０（２０ａ〜２０ｃ）を介して、各居室４Ａ、４Ｂ及び４Ｃ等の床上空間４に供給される。
【００８９】
次に、第２供給ステップＳ３４７では、各居室４Ａ、４Ｂ及び４Ｃの温度と予め定められた目標温度との差Ｖｂが求められる（ステップＳ８２）。目標温度は、適宜設定されうる。本実施形態の目標温度は、屋内熱中症を未然に防ぐ観点より、例えば、２８℃に設定されるのが望ましい。また、目標温度は、居室４Ａ、４Ｂ及び４Ｃ毎に設定されてもよい。目標温度は、記憶部３４に予め記憶されている。
【００９０】
差Ｖｂは、居室４Ａ、４Ｂ及び４Ｃ毎に求められる。本実施形態の差Ｖｂは、パッシブ暖房モードＳ２３と同様に、各居室４Ａ、４Ｂ及び４Ｃの温度から目標温度を差し引いた値として求められる。この値（差Ｖａ）が小さいほど、各居室４Ａ、４Ｂ及び４Ｃの温度が小さいことを示している。
【００９１】
次に、第２供給ステップＳ３４７では、各居室４Ａ、４Ｂ及び４Ｃの前記差Ｖｂに基づいて、各居室４Ａ、４Ｂ及び４Ｃのダンパー２０（２０ａ〜２０ｃ）の開度が調節される（ステップＳ８３〜ステップＳ８９）。本実施形態では、前記差Ｖｂが大きいほど、ダンパー２０の開度（床下空気１７の供給量）が大に設定されている。これにより、温度が高い居室４Ａ、４Ｂ及び４Ｃほど、より多くの冷たい床下空気１７が供給されるため、各居室４Ａ、４Ｂ及び４Ｃが効率良く冷房されうる。
【００９２】
例えば、前記差Ｖｂが−１．５℃未満である居室４Ａ、４Ｂ又は４Ｃのダンパーは、最も小さい第１開度に設定される（ステップＳ８４）。前記差Ｖｂが−０．５℃〜−１．５℃である居室４Ａ、４Ｂ又は４Ｃのダンパー２０は、第１開度よりも大である第２開度に設定される（ステップＳ８５）。前記差Ｖｂが−０．５℃〜＋０．５℃である居室４Ａ、４Ｂ又は４Ｃのダンパー２０は、第２開度よりも大である第３開度に設定される（ステップＳ８６）。
【００９３】
さらに、前記差Ｖｂが＋０．５℃〜＋１．５℃である居室４Ａ、４Ｂ又は４Ｃのダンパー２０（２０ａ〜２０ｃ）は、第３開度よりも大である第４開度に設定される（ステップＳ８７）。前記差Ｖｂが＋１．５℃よりも大である居室４Ａ、４Ｂ又は４Ｃのダンパー２０は、第４開度よりも大である第５開度に設定される（ステップＳ８８）。
【００９４】
そして、全ての居室４Ａ、４Ｂ及び４Ｃのダンパー２０（２０ａ〜２０ｃ）の開度が調節されたか否かが判断される（ステップＳ８９）。全ての居室４Ａ、４Ｂ及び４Ｃのダンパー２０の開度が調節されたと判断された場合、次のステップＳ３４８（図９に示す）が実施される。他方、全ての居室４Ａ、４Ｂ及び４Ｃのダンパー２０の開度が調節されていないと判断された場合、他の居室４Ａ、４Ｂ及び４Ｃのダンパー２０が選択され（ステップＳ９０）、ステップＳ８３〜ステップＳ８９が再度実施される。これにより、前記差Ｖｂに基づいて、全ての居室４Ａ、４Ｂ及び４Ｃのダンパー２０の開度が調節されうる。従って、各居室４Ａ、４Ｂ及び４Ｃへの床下空気１７の供給量が、個別に調節されうる。
【００９５】
なお、前記差Ｖｂの閾値（本実施形態では、「＋１．５℃」、「＋０．５℃」、「−０．５℃」、「−１．５℃」）については、例えば、換気手段１０のファン１０Ｂの風量に応じて、適宜変更することができる。また、本実施形態の前記差Ｖａは、例えば、目標温度から各居室４Ａ、４Ｂ及び４Ｃの温度を差し引いた値として求められてもよい。
【００９６】
次に、パッシブ冷房モードＳ３４では、第２供給ステップＳ３４７の開始から予め定められた時間が経過するまで、各居室４Ａ、４Ｂ及び４Ｃへの床下空気１７の供給が残置される（ステップＳ３４８）。このような残置により、第２供給ステップＳ３４７で設定された各居室４Ａ、４Ｂ及び４Ｃのダンパー２０（２０ａ〜２０ｃ）の開度に基づいて、床下空気１７が一定時間供給されるため、各居室４Ａ、４Ｂ及び４Ｃが効果的に冷房されうる。残置される時間については、適宜設定されうる。本実施形態では、例えば、２０分〜３０分程度に設定されている。
【００９７】
次に、パッシブ冷房モードＳ３４では、各居室４Ａ、４Ｂ及び４Ｃの温度が、予め定められた温度未満であるか否かが判断される（ステップＳ３４９）。各居室４Ａ、４Ｂ及び４Ｃの「予め定められた温度」については、適宜設定されうる。本実施形態の温度は、第２供給ステップＳ３４７で設定された目標温度（２８℃）に基づいて、例えば２８℃に設定されている。
【００９８】
各居室４Ａ、４Ｂ及び４Ｃの温度（２８℃）が前記温度未満である場合（ステップＳ３４９で、「Ｙ」）、床下空気１７を利用して、効果的に冷房されていると判断されうる。このような場合、次のステップＳ３５０が実施される。他方、各居室４Ａ、４Ｂ及び４Ｃの温度が前記温度以上（即ち、少なくとも一つの居室４Ａ、４Ｂ及び４Ｃの温度が前記温度以上）である場合（ステップＳ３４９で、「Ｎ」）、床下空気１７を利用しても、各居室４Ａ、４Ｂ及び４Ｃを効果的に冷房できないと判断されうる。この場合、パッシブ冷房モードＳ３４が中断され、前記冷房モードＳ３３（図８に示す）が実施される。このように、本実施形態では、各居室４Ａ、４Ｂ及び４Ｃに床下空気１７が一定時間供給されても、各居室４Ａ、４Ｂ及び４Ｃが十分に冷房されないと判断された場合に、パッシブ冷房モードＳ３４が中断され、冷房モードＳ３３が迅速に実施される。従って、各居室４Ａ、４Ｂ及び４Ｃが確実に冷房されうる。
【００９９】
次に、パッシブ冷房モードＳ３４では、ステップ３４１〜ステップＳ３４９を経た現在が、第２期間（夏季パッシブ期間）か否かが判断される（ステップＳ３５０）。現在が第２期間であると判断された場合（ステップＳ３５０で、「Ｙ」）、ステップＳ３４５〜Ｓ３５０が再度実施される。これにより、第２期間（夏季パッシブ期間）では、空気調和機１６を使用しなくても、自然エネルギーのみを利用して、各居室４Ａ、４Ｂ及び４Ｃが効果的に冷房（空調）されうるため、空調コストの増大が防がれうる。
【０１００】
他方、現在が第２期間（夏季パッシブ期間）外であると判断された場合（ステップＳ３５０で、「Ｎ」）、パッシブ冷房モードＳ３４及び夏季空調ステップＳ３の一連の処理が終了し、次のステップＳ４（図４に示す）が実施される。これにより、夏季空調ステップＳ３では、現在が属する期間に応じて、各居室４Ａ、４Ｂ及び４Ｃが、効率よく冷房（空調）されうる。
【０１０１】
次に、本実施形態の換気空調方法では、図４に示されるように、冬季空調ステップＳ２又は夏季空調ステップＳ３が実施された後に、換気空調方法の終了命令の有無が判断される（ステップＳ４）。終了命令は、例えば、制御手段２６を介して、居住者等によって行われる。ステップＳ４では、終了命令が有る場合、本実施形態の一連の処理が終了する。他方、終了命令が無い場合は、ステップＳ１〜ステップＳ４が再度実施される。
【０１０２】
このように、本実施形態の換気空調方法では、一年を通して、各居室４Ａ、４Ｂ及び４Ｃが快適に空調されうる。しかも、本実施形態の換気空調方法では、パッシブ暖房モードＳ２４と、パッシブ冷房モードＳ３４とが含まれるため、床下空気を利用して、各居室４Ａ、４Ｂ及び４Ｃが効率よく冷暖房されうる。
【０１０３】
また、上述したように、パッシブ暖房モードＳ２４での床下空気１７の総供給量（本実施形態では、第２風量）は、パッシブ冷房モードＳ３４での床下空気１７の総供給量（本実施形態では、第４風量）よりも小さい。これは、夏季の自然換気量に比べて大きくなる冬季の自然換気量を考慮したものである。これにより、冬季において、各居室４Ａ、４Ｂ及び４Ｃが、過乾燥になること、及び、気流の増大に伴う温冷感の低下を抑制しうる。
【０１０４】
なお、本実施形態では、床下空間３に１台の空気調和機１６のみが設けられる態様が例示されたが、これに限定されるわけではない。例えば、床下空間３に、２台以上の空気調和機１６が設けられてもよい。また、床下空間３に設けられた空気調和機１６とともに、各居室４Ａ、４Ｂ及び４Ｃに、空気調和機（図示省略）が別途設けられてもよい。
【０１０５】
以上、本発明の特に好ましい実施形態について詳述したが、本発明は図示の実施形態に限定されることなく、種々の態様に変形して実施しうる。
【符号の説明】
【０１０６】
４Ａ、４Ｂ、４Ｃ      居室
１６      空気調和機
１７      床下空気
【図１】
0006371673.tif 000002
【図２】
0006371673.tif 000003
【図３】
0006371673.tif 000004
【図４】
0006371673.tif 000005
【図５】
0006371673.tif 000006
【図６】
0006371673.tif 000007
【図７】
0006371673.tif 000008
【図８】
0006371673.tif 000009
【図９】
0006371673.tif 000010
【図１０】
0006371673.tif 000011